(57)【要約】【課題】  使用者の体に対する感染あるいは汚染を排除し、使用者の臀部に付着することを避け、しわの形成を抑制することが可能である便座カバーを、提供する。【解決手段】  折り畳み自在のパッド１および使い捨てのシート２を有する。パッド１は、パッド１の下面に配置され、かつ下方に向かって突出する複数の吸盤１３，１３’を有する。吸盤１３，１３’は、真空吸着によって、使用者の着座のためにパッド１を、便座に固定するように適合されている。シート２は、パッド１の吸盤１３，１３’に対応し、かつ貫通して形成される複数の穴部２１，２１’を有する。穴部２１，２１’は、吸盤１３，１３’が挿入され、貫通することによって、シート２を便座Ｓに固定する。便器を使用した後において、シート２は、処分され、パッド１は、保管およびハンドリングを便利とするために折り畳まれる。【選択図】            図１
0003110433.tif 000002
【実用新案登録請求の範囲】
【請求項１】
折り畳み自在のパッドおよび使い捨てのシートを有する便座カバーであって、
前記パッドは、前記パッドの下面に配置され、かつ下方に向かって突出する複数の吸盤を有し、前記吸盤は、真空吸着によって、使用者の着座のために前記パッドを便座に固定するように適合されており、
前記シートは、前記パッドの前記吸盤に対応し、かつ貫通して形成される複数の穴部を有し、前記穴部は、前記吸盤が挿入され、貫通することによって、前記シートを前記便座に固定し、
便器を使用した後において、前記シートは、処分され、前記パッドは、保管およびハンドリングを便利とするために折り畳まれる
ことを特徴とする便座カバー。
【請求項２】
前記パッドは、耐水および抗菌特性を有する材料から形成されることを特徴とする請求項１に記載の便座カバー。
【請求項３】
前記パッドは、プラスチック材料から形成されることを特徴とする請求項２に記載の便座カバー。
【請求項４】
前記シートは、紙から形成されることを特徴とする請求項１に記載の便座カバー。
【請求項５】
前記パッドは、前記便座に形成される開口部に対応する中心開口部を有する楕円状あるいは円形状形状として、形成されていることを特徴とする請求項１に記載の便座カバー。
【請求項６】
前記パッドは、一対のメイン扇形部材、複数の波形部位、後方および前方の吸盤を有し、前記メイン扇形部材の一方および他方は、便器の後方側および前方側に配置され、前記波形部位は、前記メイン扇形部材の間で、定義され、折り畳み自在であり、前記後方の吸盤は、後方側に配置される前記メイン扇形部材の一方の下面に、少なくとも１つ配置され、前記前方の吸盤は、前方側に配置される前記メイン扇形部材の他方の下面に、少なくとも１つ配置されており、前記波形部位の各々は、内側折り目線、および前記内側折り目線の反対側に配置される２つの外側折り目線を含んでおり、前記メイン扇形部材の間で定義される前記波形部位の間には、隆起部および溝部が交互に形成され、不使用時、前記波形部位は、折り畳まれ、前記メイン扇形部材の間でサンドイッチされることで、保管あるいはハンドリングを便利とする
ことを特徴とする請求項１に記載の便座カバー。
【考案の詳細な説明】
【技術分野】
【０００１】
本考案は、便座カバーに関する。
【背景技術】
【０００２】
実用新案登録第３０７６２６４号公報には、携帯用の折り畳み可能な便座カバーが、開示されている。当該便座カバーは、複数の折り畳み部材を有している。折り畳み部材は、展開させられることによって、便座が衛生的着座のためにカバーされ、そして、折り畳まれることで、お互いに重ね合せられており、これらの操作（作業）は、便利に実行される。
【考案の開示】
【考案が解決しようとする課題】
【０００３】
しかし、まだ以下の不利益を有しており、十分ではない。
【０００４】
１．カバーが薄い紙から形成されている場合、便座に存在している細菌あるいはウイルスが貫通あるいは侵入することで、使用者の体に感染あるいは汚染を引き起こす虞がある。
【０００５】
２．特に、夏あるいは高温の気候において汗をかく場合、カバーが、使用者の臀部に付着し、使用者を当惑させる虞がある。
【０００６】
３．複数の溝部および隆起部を有する折り畳み式のカバーは、便座の上に、しわのある上部面を形成する。このようなしわのある面は、使用者の着座を、不快なものとする虞がある。
【０００７】
本考案は、上記従来技術に伴う課題を解決するためになされたものであり、使用者の体に対する感染あるいは汚染を排除し、使用者の臀部に付着することを避け、しわの形成を抑制することが可能である便座カバーを、提供することを目的とする。
【課題を解決するための手段】
【０００８】
上記目的を達成するための本考案は、
折り畳み自在のパッドおよび使い捨てのシートを有する便座カバーであって、
前記パッドは、前記パッドの下面に配置され、かつ下方に向かって突出する複数の吸盤を有し、前記吸盤は、真空吸着によって、使用者の着座のために前記パッドを便座に固定するように適合されており、
前記シートは、前記パッドの前記吸盤に対応し、かつ貫通して形成される複数の穴部を有し、前記穴部は、前記吸盤が挿入され、貫通することによって、前記シートを前記便座に固定し、
便器を使用した後において、前記シートは、処分され、前記パッドは、保管およびハンドリングを便利とするために折り畳まれる
ことを特徴とする便座カバーである。
【考案の効果】
【０００９】
上記のように構成した本考案は、吸盤を、便座に安定的に固定することによって、折り畳み自在のパッドは、直線的に張力が付加される。そのため、平坦な表面が形成され、パッドに、しわが形成されることが妨げられ、使用者の着座の快適性を向上させる。パッドは、パッドと便座との間に配置される使い捨てのシートによって仕切られており、便座と間接的に接触しているため、便器あるいは便座から広がる（蔓延する）汚染あるいは感染が排除される。パッドは、吸盤によって便座に吸着つまり固定されるため、使用者が立ち上がる場合、例えば、夏あるいは高温の気候において汗をかいていても、パッドは、使用者の臀部に付着せず、使用者に当惑を引き起こすことを防ぐことができる。
【００１０】
つまり、使用者の体に対する感染あるいは汚染を排除し、使用者の臀部に付着することを避け、しわの形成を抑制することが可能である便座カバーを、提供することが可能である。
【考案を実施するための最良の形態】
【００１１】
以下、本考案の実施の形態を、図面を参照しつつ説明する。図１は、本考案の実施の形態に係る便座カバーを説明するための斜視図、図２は、図１に示される折り畳み自在のパッドの下面図、図３は、図１に示される使い捨てのシートの平面図、図４は、本考案の実施の形態に係る便座カバーを説明するための断面図、図５は、パッドが折り畳まれた状態を説明するための図である。
【００１２】
図に示されるように、本考案の実施の形態に係る便座カバーは、折り畳み自在のパッド１および使い捨てのシート２を有する。パッド１は、便器Ｔの便座Ｓに固定される。シート２は、パッド１と便座Ｓとの間に、配置される（詰め込まれる）。
【００１３】
パッド１は、耐水および抗菌特性を有するプラスチックあるいは他の適切な材料から形成することが可能である。
【００１４】
シート２は、紙あるいは他の薄膜（層）の材料から形成することが可能であり、使用後において、使い捨て（廃棄）自在である。
【００１５】
パッド１は、中心開口部１０、一対のメイン扇形部材１１，１１’、複数の波形部位１２、後方のおよび前方の吸盤（吸着カップ）１３，１３’を含んでいる。中心開口部１０は、便座Ｓの開口部Ｏに対応している。メイン扇形部材１１，１１’の一方および他方は、便器Ｔの後方側Ｒおよび前方側Ｆに配置される。波形部位１２は、メイン扇形部材１１，１１’の間で、定義され、折り畳み自在である。後方の吸盤１３は、後方側Ｒに配置されるメイン扇形部材１１の下面に、少なくとも１つ形成されている（本実施の形態においては２つ）。前方の吸盤１３’は、前方側Ｆに配置されるメイン扇形部材１１’の下面に、少なくとも１つ形成されている（本実施の形態においては１つ）。
【００１６】
各吸盤１３，１３’は、真空吸着力によって、便座Ｓに固定される。
【００１７】
各波形部位１２は、内側折り目線１２１、および内側折り目線１２１の反対側に配置される２つの外側折り目線１２２を含んでいる。そのため、２つのメイン扇形部材１１，１１’（つまり、後方側Ｒに配置されるメイン扇形部材１１および前方側Ｆに配置されるメイン扇形部材１１’）の間で定義される波形部位１２の間には、隆起部１２１および溝部１２２が交互に形成される。したがって、不使用時、波形部位１２は、折り畳まれ、２つのメイン扇形部材１１，１１’の間でサンドイッチされることで、保管あるいはハンドリングを便利とすることが可能である。
【００１８】
パッド１は、楕円状あるいは円形状形状として形成することが可能であるが、本考案において、制限されない。
【００１９】
また、波形部位１２および吸盤１３，１３’の設置数は、本考案において、制限されない。
【００２０】
２つのメイン扇形部材１１，１１’の一方の幅を、各波形部位１２の幅より、若干大きくすることで、２つのメイン扇形部材１１，１１’の間に位置する波形部位１２の折り畳みを良好とすることが可能である。
【００２１】
特に、図３に示されるように、シート２は、中心開口部２０、および穴部（後方の穴部および前方の穴部）２１，２１’を含んでいる。中心開口部２０は、パッド１の中心開口部１０と、便座Ｓの開口部Ｏとに対応している。後方の穴部２１は、シート２の後方部位に、少なくとも１つ形成され（本実施の形態においては２つ）、パッド１の後方側Ｒに配置されるメイン扇形部材１１に形成される吸盤１３に対応しており、吸盤１３を便座Ｓに固定する際に、吸盤１３が挿入される。前方の穴部２１’は、シート２の前方部位に、少なくとも１つ形成され（本実施の形態においては１つ）、パッド１の前方側Ｆに配置されるメイン扇形部材１１’に形成される吸盤１３’に対応しており、吸盤１３’が挿入されることによって、吸盤１３’が、真空吸着力によって、便座Ｓ（図４参照）に固定されることを可能とする。
【００２２】
本発明に係る便座カバーを使用する場合、シート２は、上位のパッド１と、下位の便座Ｓとの間に、サンドイッチされる。吸盤１３、１３’は、パッド１から下方に向かって突出しており、シート２を貫通して形成されている穴部２１，２１’を経由して、押圧されることで、便座Ｓに吸着されて、固定される。その後、使用者は、便座Ｓに既に安定的に固定されたパッド１に着座することが可能であるため、便器Ｔの使用は、快適である。
【００２３】
シート２は、便座Ｓとパッド１との間に配置され、使用者に対する最高の安全性および衛生性を確実とし、便座Ｓあるいは便器Ｔからの感染あるいは汚染を妨げることが可能である。
【００２４】
一旦使われると、シート２は、廃棄（処分）可能であり、一方、パッド１は、折り重ねることで、保管あるいはハンドリングを便利とすることが可能である。
【００２５】
以上のように、本実施の形態に係る便座カバーは、パッド１およびシート２を有する。パッド１は、パッド１の下面に配置され、かつ下方に向かって突出する少なくとも１つの後方の吸盤１３および前方の吸盤１３’を有する。吸盤１３，１３’は、真空吸着によって、パッド１を便座Ｓに安定的に固定し、使用者の着座における快適性および衛生性を確保する。シート２は、便座Ｓとパッド１との間に配置され、便器Ｔを使用した後において、廃棄自在であり、パッド１は、折り畳まれるため、再使用のための保管を、便利とすることが可能である。
【００２６】
したがって、本考案は、従来技術より優れている以下の効果を有する。
【００２７】
１．後方の吸盤１３および前方の吸盤１３’を、便座Ｓに安定的に固定することによって、パッド１の後端部および前端部は、直線的に張力が付加される。そのため、平坦な表面が形成され、パッド１に、しわが形成されることが妨げられるため、使用者の着座の快適性を向上させる。
【００２８】
２．パッド１は、パッド１と便座Ｓとの間に配置されるシート２によって仕切られており、便座Ｓと間接的に接触しているため、便器Ｔあるいは便座Ｓから広がる（蔓延する）汚染あるいは感染が排除される。
【００２９】
３．パッド１は、吸盤１３，１３’によって便座Ｓに吸着つまり固定することが可能であるため、使用者が立ち上がる場合、例えば、夏あるいは高温の気候において汗をかいていても、パッド１は、使用者の臀部に付着しないため、使用者に当惑を引き起こすことを防ぐことができる。
【００３０】
４．不潔恐怖症的性格を有する使用者のために、本考案は、「２重の保障」のための重要な役割を果たす。つまり、２つの層（上位のパッド１および下位のシート２）によって、便座Ｓからそれぞれ分離されているため、便器Ｔからの汚染あるいは感染を妨げることで、特に、不潔恐怖症的性格を有する使用者を満足させることが可能である。
【００３１】
なお、本考案は、上述した実施の形態に限定されるものではなく、実用新案登録請求の範囲から逸脱することなく、その範囲内で種々改変することができる。
【図面の簡単な説明】
【００３２】
【図１】本考案の実施の形態に係る便座カバーを説明するための斜視図である。
【図２】図１に示される折り畳み自在のパッドの下面図である。
【図３】図１に示される使い捨てのシートの平面図である。
【図４】本考案の実施の形態に係る便座カバーを説明するための断面図である。
【図５】パッドが折り畳まれた状態を説明するための図である。
【符号の説明】
【００３３】
１・・折り畳み自在のパッド、
２・・使い捨てのシート、
１０・・中心開口部、
１１，１１’・・メイン扇形部材、
１２・・波形部位、
１３，１３’・・吸盤、
２０・・中心開口部、
２１，２１’・・穴部、
１２１・・内側折り目線（隆起部）、
１２２・・外側折り目線（溝部）
Ｏ・・開口部、
Ｆ・・前方側、
Ｒ・・後方側、
Ｓ・・便座、
Ｔ・・便器。
【図１】
0003110433.tif 000003
【図２】
0003110433.tif 000004
【図３】
0003110433.tif 000005
【図４】
0003110433.tif 000006
【図５】
0003110433.tif 000007